(57)【特許請求の範囲】
【請求項１】
使用者の身体に装着可能な本体を備えており、使用時に使用者の身体に装着して用いられる画像表示装置であって、
前記本体には、当該画像表示装置の使用時に使用者の一方の目の前に位置するものであり、所定の画像の像光を前記一方の目に導くことによって、当該一方の目の視野の一部である表示範囲に存在するような状態で当該一方の目で前記画像を見られるようにする第１の表示手段と、当該画像表示装置の使用時に使用者の他方の目の前に位置するものであり、所定の画像の像光を前記他方の目に導くことによって、当該他方の目の視野の一部である表示範囲に存在するような状態で当該他方の目で前記画像を見られるようにする第２の表示手段と、が設けられているとともに、
前記第１の表示手段と、前記第２の表示手段とはともに、前記本体が使用者の身体に装着された場合の上下方向に揺動できるようにして、前記本体に設けられており、
且つ、それを身体に装着した使用者は、少なくとも視線を動かせば、両方の目で外界を見られるように構成されているとともに、
前記本体は、その先端を使用者の両耳に係止させることで使用者の両耳に固定される、略棒状にされた２つのつると、それらつるの基端とその両端を接続されており、前記２つのつるの先端を使用者の両耳に係止したときにその使用者の顔の前方に位置するものであり、前記第１、及び第２の表示手段が設けられたフレームと、を備えており、
前記２つのつるはともに、その基端部分と、先端部分とが接続部材で接続された別部材とされているとともに、その接続部材を回動の軸として、前記基端部分を、前記先端部分に対して回動させられるようにすることにより、その基端部分と、先端部分とがなす角度が可変となるようにされており、
前記２つのつるの前記基端部分と、前記先端部分とのなす角度を変化させることで、前記第１、及び第２の表示手段は、前記本体が使用者の身体に装着された場合の上下方向に揺動できるようになっており、
前記第１、及び第２の表示手段はともに、前記画像を表示するディスプレイと、前記ディスプレイからの像光を前記使用者のその表示手段が対応する側の目に導く光学系とを備えるとともに、その光学系の少なくとも一部を収納するものとされ、且つ前記画像表示装置の使用時に前記対応する側の目に向かう方向に突出するようにされた鏡筒を備えており、
且つ前記２つのつるを側面から見た場合、前記接続部材２つと、前記鏡筒の先端部分とが、一直線上に位置するようになっている、
画像表示装置。
【発明の詳細な説明】
【技術分野】  本発明は、頭部などの身体に装着して使用可能な、小型の画像表示装置に関する。
【背景技術】  頭部などの身体に装着して使用され、使用者の眼前に画像を表示するヘッドマウントディスプレイ（ＨＭＤ）が、バーチャルリアリティをはじめ種々の分野で利用されている。ＨＭＤは、通常、外光を遮断して画像のみを表示するようなものとされ、一般的にはゴーグル形状、あるいは大型のメガネのフレーム形状に形成される。ＨＭＤを使用すると、使用者はどの方向を向いていても画像を見ることができる反面、外界を見ることはできなくなる。
近年、画像を視界の一部に表示し、外界も、画像も見られるようにした小型の画像表示装置が提案されている。
このタイプの画像表示装置は、例えば、特開平７−２０９６００号公報に開示されている。この画像表示装置は、液晶表示装置（ＬＣＤ）、反射ミラー、接眼レンズ等を１つの筐体に収容するとともに、その筐体にクリップを取付けてなり、クリップでメガネやサングラスのフレームに装着するように構成されている。筐体はメガネの左右のレンズのいずれかの上部外側寄りに取付けられ、ＬＣＤに表示された画像が反射ミラーと接眼レンズ、さらにメガネのレンズを介して、使用者の一方の眼に斜め上方から与えられることになる。
このタイプの画像表示装置は、視線の移動により、外界を見るか、画像を見るかの選択を行えるので、日常生活の場面で使用でき、使用の場面として室内外を特に問わない点で価値が高い。
それゆえ、このような画像表示装置であれば、音を再生するものであり、若者のライフスタイルを大きく変えた携帯型ヘッドフォンステレオの映像版といった用途に応用可能かもしれない。
ところで、このタイプの画像表示装置では、画像の見易さを確保することが極めて重要である。
しかしながら顔の造作には個人差があるため、画像表示装置と使用者の目との位置関係が適切にならず、使用者が楽に画像を見られない場合もありうる。
本発明は、かかる課題を解消するものであり、画像を視界の一部に表示する画像表示装置を画像を見やすくするように改良することをその課題とするものである。
【発明の開示】
かかる課題を解決するため、本願発明者は、以下の２つの発明を提案する。
本願による第１の発明は、使用者の身体に装着可能な本体を備えており、使用時に使用者の身体に装着して用いられる画像表示装置である。
そして、この画像表示装置の前記本体には、当該画像表示装置の使用時に使用者の一方の目の前に位置するものであり、所定の画像の像光を前記一方の目に導くことによって、当該一方の目の視野の一部である表示範囲に存在するような状態で当該一方の目で前記画像を見られるようにする表示手段が設けられているとともに、前記表示手段は、前記本体が使用者の身体に装着された場合の左右方向に移動できるようにして、前記本体に設けられており、且つ、それを身体に装着した使用者は、少なくとも視線を動かせば、例えば両方の目で外界を見られるように構成されている。
このような画像表示装置であれば、表示手段を左右方向に移動できるため、表示手段と使用者の目との位置関係が適切になるように表示手段の位置を調整することができるようになるので、使用者が楽に画像を見られるようになる。
第１の発明による画像表示装置における表示手段は１つの場合もあれば、２つの場合もある。表示手段が１つであれば低コスト化が図りやすい。また、表示手段が２つであれば画像を見る場合の臨場感をより増し易い。
表示手段が２つの場合、少なくともその一方が、前記本体が使用者の身体に装着された場合の左右方向に移動できるようにして、前記本体に設けられていればよい。もちろん、その双方が、前記本体が使用者の身体に装着された場合の左右方向に移動できるようにして、前記本体に設けられていてもよい。
表示手段が２つの場合における第１の発明は、使用者の身体に装着可能な本体を備えており、使用時に使用者の身体に装着して用いられる画像表示装置を基本とし、前記本体には、当該画像表示装置の使用時に使用者の一方の目の前に位置するものであり、所定の画像の像光を前記一方の目に導くことによって、当該一方の目の視野の一部である表示範囲に存在するような状態で当該一方の目で前記画像を見られるようにする第１の表示手段と、当該画像表示装置の使用時に使用者の他方の目の前に位置するものであり、所定の画像の像光を前記他方の目に導くことによって、当該他方の目の視野の一部である表示範囲に存在するような状態で当該他方の目で前記画像を見られるようにする第２の表示手段と、が設けられているとともに、前記第１の表示手段と、前記第２の表示手段とはともに、前記本体が使用者の身体に装着された場合の左右方向に移動できるようにして、前記本体に設けられており、且つ、それを身体に装着した使用者は、少なくとも視線を動かせば、例えば両方の目で外界を見られるように構成されているものとすることができる。
なお、第１の発明における表示手段を、前記本体が使用者の身体に装着された場合の左右方向に移動できるようにするための具体的な構成の詳細は不問である。表示手段が２つの場合、前記本体が使用者の身体に装着された場合の左右方向に表示手段を移動させられるようにするための構成は、両表示手段について同じであっても異なっていてもよい。
第１の発明において、表示手段が１つの場合、前記本体に、前記画像表示装置の使用時に使用者の他方の目の前に位置するものであり、当該他方の目の視野のうち、前記表示範囲に略対応する範囲、又は当該範囲を含むより広い範囲である遮蔽範囲から前記他方の目に入って来る光を、前記一方の目に前記表示範囲から入ってくる光よりも弱くする遮蔽手段を設けてもよい。
遮蔽手段は、以下のような視野闘争の問題を解消するのに役立つものである。
表示手段が１つの画像表示装置では、片目でディスプレイを見ているときに、他方の目には周囲の景色が見えることになる。このような場合に、視野闘争の問題が生じるのである。
視野闘争とは、右目、左目から入った情報のうち、どちらか一方だけが、意識にのぼるという現象をいう。右目と左目から入った情報は通常、多少の異なる点（例えば、両目の視差）はあるものの多くの共通点を持っている。このような場合、脳は、２つの情報から１つの情報を作り上げ、これを見えている「内容」として認識する。これに対して、右目と左目のそれぞれに、共通点の少ない、相互に大きく異なる情報を入れた場合、脳は、それらの情報を上手く処理できなくなる。この場合、脳は、どちらかからの情報を優先させ、そちらの情報だけを見ているように処理を行うことがある。この場合、脳が優先させた情報に基づく画像ないし景色は見えていると認識されるけれども、脳が優先させなかった情報に基づく画像ないし景色は見えているとは認識されない。
上述の如き画像表示装置では、このような視野闘争が顕著に起きる。視野闘争が起きると、ディスプレイが見えていると認識される状況と、景色が見えていると認識される状況が交互に起こることになる。ディスプレイが見えない状況が頻発するのでは、画像表示装置として役に立たないし、またディスプレイがかろうじて見えているとしても、視野闘争が頻発するのであれば、使用者に大きな疲れを与える。
上述の如き遮蔽手段があれば、その遮蔽手段が直前に置かれた側の目の視界をその遮蔽手段で遮ることで、その目をいわば死んだ状態とすることができるので、脳は表示手段により画像を見ている側の目からの情報のみを見えているものとして認識することになる。これにより、上述の視野闘争の問題を解決できるのである。
上述の遮蔽手段は、前記本体が使用者の身体に装着された場合の左右方向に移動できるようにして、前記本体に設けられていてもよい。表示手段が移動したとしても前記画像表示装置の使用時に使用者の他方の目の前に位置するものであり、当該他方の目の視野のうち、前記表示範囲に略対応する範囲、又は当該範囲を含むより広い範囲である遮蔽範囲から前記他方の目に入って来る光を、前記一方の目に前記表示範囲から入ってくる光よりも弱くするに十分な大きさとされているのであれば、遮蔽手段は、左右方向に移動するようになっていなくても構わない。
本願による第２の発明は、使用者の身体に装着可能な本体を備えており、使用時に使用者の身体に装着して用いられる画像表示装置である。
そして、その本体には、当該画像表示装置の使用時に使用者の一方の目の前に位置するものであり、所定の画像の像光を前記一方の目に導くことによって、当該一方の目の視野の一部である表示範囲に存在するような状態で当該一方の目で前記画像を見られるようにする表示手段が設けられているとともに、前記表示手段は、前記本体が使用者の身体に装着された場合の上下方向に揺動できるようにして、前記本体に設けられており、且つ、それを身体に装着した使用者は、少なくとも視線を動かせば、例えば両方の目で外界を見られるように構成される。
このような画像表示装置であれば、表示手段を上下方向に揺動できるため、表示手段と使用者の目との位置関係が適切になるように表示手段の位置を調整することができるようになるので、使用者が楽に画像を見られるようになる。
第２の発明による画像表示装置における表示手段は１つの場合もあれば、２つの場合もある。表示手段が１つであれば低コスト化が図りやすい。また、表示手段が２つであれば画像を見る場合の臨場感をより増し易い。
表示手段が２つの場合、少なくともその一方が、前記本体が使用者の身体に装着された場合の上下方向に揺動できるようにして、前記本体に設けられていればよい。もちろん、その双方が、前記本体が使用者の身体に装着された場合の上下方向に揺動できるようにして、前記本体に設けられていてもよい。
表示手段が２つの場合における本願の第２の発明による画像表示装置は、例えば、使用者の身体に装着可能な本体を備えており、使用時に使用者の身体に装着して用いられる画像表示装置を基本とし、前記本体には、当該画像表示装置の使用時に使用者の一方の目の前に位置するものであり、所定の画像の像光を前記一方の目に導くことによって、当該一方の目の視野の一部である表示範囲に存在するような状態で当該一方の目で前記画像を見られるようにする第１の表示手段と、当該画像表示装置の使用時に使用者の他方の目の前に位置するものであり、所定の画像の像光を前記他方の目に導くことによって、当該他方の目の視野の一部である表示範囲に存在するような状態で当該他方の目で前記画像を見られるようにする第２の表示手段と、が設けられているとともに、前記第１の表示手段と、前記第２の表示手段とはともに、前記本体が使用者の身体に装着された場合の上下方向に揺動できるようにして、前記本体に設けられており、且つ、それを身体に装着した使用者は、少なくとも視線を動かせば、例えば両方の目で外界を見られるように構成されているものとすることができる。
第２の発明における表示手段を上下方向に揺動できるようにするための具体的な構成は、不問である。表示手段が２つの場合、前記本体が使用者の身体に装着された場合の上下方向に表示手段を揺動させられるようにするための構成は、両表示手段について同じであっても異なっていてもよい。
第２の発明における表示手段を上下方向に揺動できるようにするための具体的な構成は、例えば、以下のようにすることができる。
前記本体には、平行な上下２本の棒体が設けられており、且つ前記表示手段はケースに収納され、且つこのケースの上面には前記棒体のうち上側のものと嵌り合う１本の上溝が設けられているとともに、その下面には前記棒体のうちの下側のものと当接する鞍状の凸面である凸曲面が設けられており、前記上溝に前記２本の棒体のうちの上側のものを嵌め合わせた状態で前記２本の棒体のうちの下側のものを前記凸曲面に沿って摺動させられるようにすることで、前記揺動を行えるようにするという構成を採用することができる。この場合、上述の凸曲面の両端部にその凸曲面から突出する段部をそれぞれ設けておけば、前記２本の棒体のうちの下側のものが前記段部のいずれかに当接する位置以上には表示手段は揺動できなくなる。このようにして、表示手段の揺動の範囲を規制することもできる。
また、前記本体には、当該画像表示装置を使用者の身体に装着した場合の前方に向かって突出する、所定の球面の一部をなす凸曲面を有する凸部が設けられているとともに、前記表示手段はケースに収納され、且つこのケースには、前記凸曲面に対応する曲面である凹曲面を有する凹部が設けられており、且つ前記凸部と前記凹部とは磁力によって吸着し合うようにされており、前記凸部と前記凹部を嵌め合わせた状態で吸着させ合うことで、前記本体に前記表示手段を固定できるようになっているとともに、前記凸部に対して前記凹部を摺動させることで、前記揺動を行えるようになっているという構成を採用することができる。この場合、凸部と凹部の少なくとも一方を磁石により構成する。凸部と凹部の一方を磁石にした場合には他方を磁石に吸着する金属により構成する。
また、前記本体には、当該画像表示装置を使用者の身体に装着した場合の前方に向かって開口する凹曲面を有する凹部が設けられているとともに、前記表示手段は、ケースに収納され、且つこのケースには、前記凹曲面に対応する曲面であり、所定の球面の一部をなす凸曲面を有する凸部が設けられており、且つ前記凸部と前記凹部とは磁力によって吸着し合うようにされており、前記凸部と前記凹部を嵌め合わせた状態で吸着させ合うことで、前記本体に前記表示手段を固定できるようになっているとともに、前記凸部に対して前記凹部を摺動させることで、前記揺動を行えるようになっているという構成を採用することもできる。この場合、凸部と凹部の少なくとも一方を磁石により構成する。凸部と凹部の一方を磁石にした場合には他方を磁石に吸着する金属により構成する。
以上の構成は、表示手段が１つのときでも２つのときでも採用可能である。表示手段が２つであり、且つその双方に上記揺動を行わせる場合であれば、上述の構成を表示手段の双方に採用することができる。また、表示手段の双方を揺動させるために、表示手段のそれぞれに上記揺動を行うための構成を採用する場合、表示手段のそれぞれに異なる構成を採用してもよい。
第１の発明、第２の発明のいずれの場合でも、本体の構成は不問である。例えば、本体を、その先端を使用者の両耳に係止させることで使用者の両耳に固定される、略棒状にされた２つのつると、それらつるの基端とその両端を接続されており、前記２つのつるの先端を使用者の両耳に係止したときにその使用者の顔の前方に位置するものであり、前記表示手段が設けられたフレームと、を備えるものとすることができる。
この場合、前記２つのつるをともに、その基端部分と、先端部分とがなす角度が可変となるように構成することができる。このようにしておけば、前記２つのつるの前記基端部分と、前記先端部分とのなす角度を変化させることで、前記表示手段は、前記本体が身体に装着された場合の上下方向に揺動できるようになる。これも表示手段を揺動させるための構成の一例である。この構成も、表示手段が１つのときでも２つのときでも採用可能である。表示手段が２つの場合、この構成によれば、他の工夫を行わなくても、２つの表示手段をまとめて揺動させ、２つの表示手段をまとめて角度調整できるという利点がある。
２つのつるをともに、その基端部分と、先端部分とがなす角度が可変となるようにするための構成の詳細は不問であるが、例えば、前記２つのつるをともに、その基端部分と、先端部分とを別部材とするとともに、その別部材同士を接続部材で接続し、その接続部材を回動の軸として、前記基端部分を、前記先端部分に対して回動させられるようにすることができる。
第２の発明における前記表示手段は、前記画像を表示するディスプレイと、前記ディスプレイからの像光を前記使用者のその表示手段が対応する側の目に導く光学系とを備えるとともに、その光学系の少なくとも一部を収納するものとされ、且つ前記画像表示装置の使用時に前記対応する側の目に向かう方向に突出するようにされた鏡筒を備えていてもよい。このようにされる場合、前記揺動は、前記鏡筒の先端部分を中心として行われるようにすることができる。このようにすれば、鏡筒の先端位置が変わらないので、表示手段に前記揺動を行わせた場合に、画像が見づらくなることがない。
前記揺動を、前記鏡筒の先端部分を中心として行われるようにするには、例えば、前記２つのつるをともに、その基端部分と、先端部分とを別部材とするとともに、その別部材同士を接続部材で接続し、その接続部材を回動の軸として、前記基端部分を、前記先端部分に対して回動させられるようにした場合であれば、前記２つのつるを側面から見た場合、前記接続部材２つと、前記鏡筒の先端部分とが、一直線上に位置するようにすればよい。
なお、本願に係る第１の発明と第２の発明は、単独でも組合わせてでも実施可能である。
【図面の簡単な説明】  図１は、第１実施形態の画像表示装置の全体を上後方から見たところを示す斜視図である。
図２は、図１に示した画像表示装置における表示装置を正面方向から見たところを示す斜視図である。
図３Ａ〜図３Ｃは、図１に示した画像表示装置における表示装置の揺動の仕方を示す側面図である。
図４は、図１に示した画像表示装置の表示装置を上側から見たところを示す透視図である。
図５は、図１に示した遮蔽板の断面図である。
図６において、分図（Ｌ）は、図１に示した画像表示装置を使用しているときに、使用者の左目に見えるものを概念的に示す図であり、分図（Ｒ）は、図１に示した画像表示装置を使用しているときに、使用者の右目に見えるものを概念的に示す図である。
図７は、図１に示した画像表示装置を使用しているときに、使用者が図６に示したものに基づいて認識できるものを概念的に示す図である。
図８は、第２実施形態の画像表示装置を前方から見たところを示す斜視図である。
図９は、第３実施形態の画像表示装置の全体を上後方から見たところを示す斜視図である。
図１０は、第４実施形態の画像表示装置の全体を上後方から見たところを示す斜視図である。
図１１は、第４実施形態の画像表示装置の右目用フレーム枠に接続されたつるの構成を示す図である。
図１２Ａ、及び図１２Ｂは、第４実施形態の画像表示装置のつるの曲折状態を示す側面図である。
図１３は、第５実施形態の画像表示装置の使用状態を示す正面図である。
図１４は、第５実施形態の画像表示装置の使用状態を示す側面図である。
図１５は、第５実施形態の画像表示装置の本体に対する表示装置の取付け方を示す図である。
図１６Ａは、第６実施形態の画像表示装置の固定用板の構成を示す正面図であり、図１６Ｂは、同固定用板の構成を示す側断面図である。
図１７は、第６実施形態の画像表示装置の表示装置を背面方向から見た斜視図である。
図１８Ａは、第６実施形態の画像表示装置の固定用板の変形例の構成を示す正面図であり、図１８Ｂは、同固定用板の変形例の構成を示す側断面図である。
図１９は、第６実施形態の画像表示装置の変形例に係る表示装置を背面方向から見た斜視図である。
【発明を実施するための最良の形態】  以下、本発明の好ましい第１〜第６実施形態を、図面を参照しながら詳細に説明する。
なお、各実施形態の説明では、共通するものには共通の符号を用いることとし、重複する説明は場合により省略するものとする。
≪第１実施形態≫
図１は、本発明の第１実施形態による画像表示装置１を上後方から見たときの全体を示す斜視図である。なお、実施形態の説明において、画像表示装置１の後方とは、画像表示装置１を使用者の顔に装着した場合に、使用者の顔に近い側をいうものとする。
この画像表示装置１は、本体１０と、画像を表示するための表示装置２０、及び遮蔽板３０を含んで構成されている。後述するように、表示装置２０と遮蔽板３０は、本体１０に対して着脱自在に構成されている。
本体１０は、表示装置２０と、遮蔽板３０とを保持し、且つ画像表示装置１の使用者の頭部への固定をなすためのものである。画像表示装置１の使用時に、本体１０は、使用者の頭部に装着される。画像表示装置１は、本体１０のつる１１を使用者の両耳にかけることにより、使用者の頭部に固定的に装着される。また、つる１１は、画像表示装置１の不使用時には、フレーム枠１２に向かって折り畳めるようになっている。
この実施形態における本体１０は、メガネのフレーム形状をしており、左右２本のつる１１と、フレーム枠１２を含んで構成されている。もっとも、本体１０は、必ずしもメガネのフレーム形状をしている必要はない。フレーム枠１２は、右目用フレーム枠１２Ｒと、左目用フレーム枠１２Ｌを含んでいる。右目用フレーム枠１２Ｒと、左目用フレーム枠１２Ｌは、ブリッジ１２Ｂで連結されている。このブリッジ１２Ｂにはノーズパットが設けられている。右目用フレーム枠１２Ｒは、画像表示装置１の使用者の頭部への固定的な装着をなしたときに、使用者の右目の前方に位置するフレーム枠１２であり、左目用フレーム枠１２Ｌは、画像表示装置１の使用者の頭部への固定的な装着をなしたときに、使用者の左目の前方に位置するフレーム枠１２である。かならずしもそうである必要はないが、この実施形態では、両フレーム枠１２Ｌ、Ｒともに、環状に形成されている。より詳細には、両フレーム枠１２Ｌ、Ｒともに、金属製の棒状体によって作られており、平行な２本の直線の両端同士を半円状の弧で接続した横長の小判形状とされている。
なお、この実施形態における右目用フレーム枠１２Ｒ、左目用フレーム枠１２Ｌの内側には、レンズは嵌められていない。
この実施形態の画像表示装置１では、右目用フレーム枠１２Ｒ、左目用フレーム枠１２Ｌの一方に表示装置２０が、他方に遮蔽板３０が取付けられるようになっている。図１では、左目用フレーム枠１２Ｌの内側に表示装置２０が、右目用フレーム枠１２Ｒの内側に遮蔽板３０が、それぞれ固定されている。表示装置２０と遮蔽板３０の位置関係は逆でも構わない。使用者が画像を見易い方の目の前に表示装置２０が位置するようにして、表示装置２０を固定すればよい。
表示装置２０は、本発明の表示手段に相当するものである。表示装置２０は、画像表示装置１の使用時に、使用者の一方の目（この実施形態では、左目）の前に位置するものであり、所定の画像の像光を左目に導くことで、使用者が左目で画像を見られるようにするものである。使用者は、その左目の視野の一部である表示範囲に存在するような状態で、上述の画像を見ることになる。
表示装置２０は、図２に示したように、略直方体形状に形成されたケース２１を備えている。これには限られないが、この実施形態におけるケース２１は樹脂製である。ケース２１の後方の面には、鏡筒２２が設けられている。鏡筒２２は、略円筒形状である。ケース２１の上面には、断面略Ｕ字型の凹溝２３が設けられている。ケース２１の下面には、表示装置２０を上下方向に揺動させるための曲面部２４が設けられている。曲面部２４は、図３Ａ〜図３Ｃに示したような断面形状をしている。曲面部２４は、鞍状の凸面２４Ａを備えている。凸面２４Ａの両端部分（鞍の傾斜方向の両端部分）には、凸面２４Ａの両端部分から突出するようにして段部２４Ｂがそれぞれ設けられている。
凹溝２３は、左目用フレーム枠１２Ｌの上下２本の平行な部分のうちの上側のものと嵌り合うようになっている。曲面部２４は、左目用フレーム枠１２Ｌの上下２本の平行な部分のうちの下側のものと当接するようになっている。表示装置２０は、凹溝２３内部に左目用フレーム枠１２Ｌの上下２本の平行な部分のうちの上側のものを嵌め込むとともに、曲面部２４に左目用フレーム枠１２Ｌの上下２本の平行な部分のうちの下側のものを当接させることで左目用フレーム１２Ｌの内側に取付けられるようになっている。
左目用フレーム枠１２Ｌに取付けられた表示装置２０は、図３Ａ〜図３Ｃに示したようにして上下方向に揺動させることができる。かかる揺動は、曲面部２４の鞍状の凸面２４Ａを左目用フレーム枠１２Ｌの上下２本の平行な部分のうちの下側のものに当接させながら摺動させる（図３Ｂ）ことにより行われる。表示装置２０は、左目用フレーム枠１２Ｌの上下２本の平行な部分のうちの下側のものが段部２４Ｂに当接するいずれかの位置まで（図３Ａ、図３Ｃ）揺動可能となっている。また、表示装置２０は、図３Ａと図３Ｃで示される両位置の間の任意の位置で、固定できるようになっている。
左目用フレーム枠１２Ｌに取付けられた表示装置２０は、左目用フレーム枠１２Ｌの上下２本の平行な部分のうちの上側のものと嵌りあった状態の凹溝２３を左目用フレーム枠１２Ｌの上下２本の平行な部分のうちの上側のものに沿って摺動させるとともに、左目用フレーム枠１２Ｌの上下２本の平行な部分のうちの下側のものと当接した凸面２４Ａを左目用フレーム枠１２Ｌの上下２本の平行な部分のうちの下側のものに沿って摺動させることで、左目用フレーム枠１２Ｌの上下２本の平行な部分の長さ方向と同じ方向に平行移動させることができる。
このようにして、使用者は、表示装置２０によって見ることのできる画像がより見易くなるような位置にくるように、表示装置２０の左右方向の位置と上下方向の角度を調整できる。
表示装置２０は、ケーブルＣと接続されている。このケーブルＣは、後述するように、画像信号を表示装置２０へと送るものである。ケーブルＣは、左側のつる１１に、例えばリング状の部材（この部材については、図示を省略する。）でかしめることで固定されている。また、ケーブルＣは、表示装置２０の外側面（画像表示装置１を使用者の顔に装着した場合の顔の側方側の面）に接続されている。
また、ケース２１の内部には、図４に示したように、変換基板２５、バックライトユニット２６、液晶ディスプレイ２７が設けられている。
鏡筒２２の内部には拡大レンズ２８が設けられている。
変換基板２５は、ケーブルＣと接続されており、ケーブルＣを介して外部から送られてくる画像信号を、液晶ディスプレイ２７に表示できるようなものに変換し、液晶ディスプレイ２７の制御を行うものである。
バックライトユニット２６は、液晶ディスプレイ２７を背後から照明するバックライトを含んでおり、バックライトの制御を行うものとなっている。
液晶ディスプレイ２７は、変換基板２５の制御下で、動画、或いは静止画である所定の画像を表示するものである。
拡大レンズ２８は、液晶ディスプレイ２７に表示された画像の像光を、拡大するものである。なお、拡大レンズ２８は、１枚である必要はなく、複数枚のレンズから構成されている場合もある。この実施形態の拡大レンズ２８は、また、鏡筒２２を回転させることで前後動するようになっている。これにより、使用者の視力に多少バラツキがあったとしても、使用者の目に上述の画像をしっかり結像させられるようになる。拡大レンズ２８を前後動させるための構成はどのようなものでもよいが、例えば、鏡筒２２を２重の構造とし、それらの内側の物の外面と外側の物の内面にネジ切りをして螺合させるとともに、鏡筒２２の内側の物の内面に拡大レンズ２８を固定することで実現できる。
なお、変換基板２５は、液晶ディスプレイ２７に表示する画像を制御するものである。変換基板２５は、表示装置２０の外部から、ビデオ信号やＲＧＢ信号などの画像信号をケーブルＣを介して受信して、この画像信号に基づく画像を液晶ディスプレイ２７に表示する。もっとも変換基板２５は、表示装置２０の内部に設けられている必要はなく、そのすべて、或いは一部が、表示装置２０外に設けられていても構わない。また、画像信号を無線で受信するようになっていてもよい。
変換基板２５は、また、テレビチューナを含んで構成されていてもよい。この場合、変換基板２５は、一般的なテレビ放送用の電波を受信し、これをデコードすることで、テレビ放送の画像を液晶ディスプレイ２７に表示する。変換基板２５が液晶ディスプレイ２７に表示する画像は、これにとどまらず、ＤＶＤなどの記録媒体に記録されていた画像データに基づいて再生された画像や、パーソナルコンピュータや、ゲーム装置などのコンピュータにより生成された画像データに基づいて再生された画像など、多岐にわたる可能性がある。
遮蔽板３０は、本発明の遮蔽手段に相当する。
遮蔽板３０は、画像表示装置１の使用時に使用者の他方の目（この実施形態では、右目）の前に位置するものであり、使用者の右目の視野の遮蔽範囲に入ってくる光を、使用者の左目の表示範囲に入ってくる光よりも弱くするものである。なお、遮蔽範囲とは、表示範囲に略対応する範囲、又は当該範囲を含むより広い範囲をいう。これについては、後述する。
この実施形態では、遮蔽板３０は、矩形の板状体となっている。また、図５に示したように、溝３１をその上下に備えている。遮蔽板３０は、樹脂、木、紙、金属などによって形成することができるが、この実施形態では樹脂によって形成されている。この遮蔽板３０は、不透明な樹脂でできているが、透光性がある程度低いのであれば、半透明の樹脂でできていても構わない。例えば、比較的濃色で、透光率が５０％以下のレンズ（例えば、サングラスの度なしレンズ）と同様の素材を遮蔽板３０に用いることができる。
遮蔽板３０は、右目用フレーム枠１２Ｒの上下２本の平行な部分の長さ方向と同じ方向に平行移動させることができる。
この実施形態における画像表示装置１の使用方法を説明する。
画像表示装置１を実際に用いる前に、準備を行う。
画像表示装置１を用いる準備としては、以下のことを行う。
画像表示装置１を用いる準備として、表示装置２０の調整を行う。これは、本体１０に表示装置２０が取付けられていない場合には本体１０へ表示装置２０を取付けた上で、表示装置２０の左右方向の位置と、上下方向の角度を調整することで行う。また、上記準備として遮蔽板３０の位置調整を行う。遮蔽板３０の位置調整は、それを左右方向に平行移動させることで行う。また、上記準備として、拡大レンズ２８の調整を行う。拡大レンズ２８を、使用者の視力に応じて前後方向に移動させる。なお、上述したように、この実施形態では、鏡筒２２を回転することで拡大レンズ２８が前後動（光軸に沿う方向での移動）を行うようになっているが、拡大レンズ２８の光軸方向への移動は他の手段によって行われるようになっていても構わない。また、使用者の視力に応じて拡大レンズ２８を例えば鏡筒２２ごと交換できるようにしてもよい。
次に、画像表示装置１を、使用者の顔に装着し、固定する。かかる固定は、画像表示装置１のつる１１を両耳に係止することで行う。
この状態でケーブルＣに接続された物（例えば、ＤＶＤプレイヤなど）の電源を入れ、必要な操作を行うと、画像信号がケーブルＣを介して送られてくる。これは、変換基板２５を介して液晶ディスプレイ２７に送られる。液晶ディスプレイ２７は、この画像信号に基づいて画像の表示を行う。バックライトユニット２６に含まれるバックライトからの光である、この画像についての像光は、拡大レンズ２８を介して使用者の左目に送られ、使用者の左目に結像する。
このとき、画像ＧＬは、使用者の左目には、図６（Ｌ）に示したように見える。図６（Ｌ）に示したように、画像ＧＬは、一般的には暗い空間ＳＬの中に、画像ＧＬがぽっかり浮かんでいるように見える。画像ＧＬが存在するように見える範囲が、本発明の表示範囲に相当する。なお、画像ＧＬの周りにある空間ＳＬは、拡大レンズ２８の瞳に対応するものである。また、空間ＳＬの周りには、鏡筒２２の先端がぼんやりと見える。鏡筒２２の先端がぼんやりとしか見えないのは、これが使用者の左目の近点よりも使用者よりにあるからである。また、鏡筒２２の周囲には、外界ＯＬが見える。外界ＯＬの周縁は、使用者の左目の視野に一致している。この実施形態における表示範囲の大きさは、使用者の左目の視野の１／３よりもずっと小さくなっている。なお、この表示範囲の画角は、左右方向で２０°程度である。
この実施形態では、使用者は、表示範囲を見ている状態で、視線を動かすことなく、外界の景色も認識できる。使用者は、視線を動かせば、外界の景色を両目でより多く見ることができる。
他方、このときの使用者の右目の前には、遮蔽板３０が位置している。このとき、使用者の右目には、図６（Ｒ）に示すように、遮蔽板３０がぼんやりとみえる。遮蔽板３０がぼんやりとしか見えないのは、この遮蔽板３０の位置が使用者の右目の近点よりも使用者の右目に近い位置にあるからである。使用者の右目には、主として外界ＯＲが見えている。先ほどの遮蔽板３０は、左目の表示範囲ＧＬに対応する範囲ＧＬ’を含むようにして右目の視野の中に黒く見えている。これは、遮蔽板３０がある範囲（本発明の遮蔽範囲に相当する）から右目に入ってくる光が、画像ＧＬが見えている範囲から左目に入ってくる光よりも弱くなっていることを意味する。なお、ＧＬ’は説明のために図示されたものであり、実際は見えないものである。本来は、ＧＬ’を含めた部分全体が遮蔽板３０として黒く見えることになる。
この実施形態では、使用者は、遮蔽板３０を見ている状態で、視線を動かすことなく、外界の景色も認識できる。視線を動かせば、もちろんより多くの範囲で外界の景色を見ることができる。
このとき、左目で見た画像ＧＬと、右目で見た遮蔽板３０とは、脳の中で合成されて、図７に示すように、見える。
つまり、黒い遮蔽板３０の上に、画像ＧＬが乗っているように見えるのである。この実施形態では、左目の視野の中における画像ＧＬの表示範囲と、右目の視野の中におけるそれに対応する範囲とで比較すると、表示範囲から左目が受ける光刺激が、それに対応する範囲から右目が受ける光刺激よりもより多くなるため、視野闘争がほとんど起こらなくなるのである。
この状態で、使用者は、画像を楽しめる。
なお、使用者は、黒い遮蔽板３０の上に、画像ＧＬが乗っているように見えるように、画像ＧＬを見ながら、表示装置２０の位置及び角度調整と、遮蔽板３０の位置調整を行うことができる。
≪第２実施形態≫
第２実施形態における画像表示装置２を図８に示す。
この実施形態における画像表示装置２は、基本的に第１実施形態における画像表示装置１と同様である。
異なるのは、本体１０の構成である。
この実施形態における本体１０は、第１実施形態の場合と同様に、つる１１と、フレーム枠１２とを備えて構成されるが、第２実施形態におけるフレーム枠１２は、第１実施形態におけるフレーム枠１２が、ともに環状に形成された左目用フレーム枠１２Ｌ及び右目用フレーム枠１２Ｒを、ブリッジ１２Ｂで繋いだ形状となっていたのとは異なり、１つの環状に形成されている。
したがって、この実施形態における本体１０は、眼鏡のフレーム形状とはなっていない。
なお、第２実施形態の画像表示装置２における本体１０の中心部分の下方には、眼鏡に取付けられるのと同様のノーズパットが設けられている。
第２実施形態の画像表示装置２における表示装置２０及び遮蔽板３０の構成は、第１実施形態の表示装置２０及び遮蔽板３０の構成と同様であり、そのフレーム枠１２への取付け方法も第１実施形態の表示装置２０及び遮蔽板３０の本体１０への取付け方法と同様である。ただし、この実施形態では、右目の前に表示装置２０が、左目の前に遮蔽板３０が来るようになっている。
表示装置２０は、左右方向の位置と、上下方向の角度を調整でき、遮蔽板３０は左右方向の位置を調整できる。
第２実施形態における画像表示装置２の使用方法は、第１実施形態における画像表示装置１のそれと同様である。
≪第３実施形態≫
第３実施形態における画像表示装置３を図９に示す。
第３実施形態における画像表示装置３は、基本的に第１実施形態における画像表示装置１と同様である。
異なるのは、第１実施形態における画像表示装置１の本体１０には、表示装置２０と遮蔽板３０とが取付けられていたが、第３実施形態における画像表示装置３の本体１０には、２つの表示装置２０が取付けられていることである。第３実施形態の画像表示装置３における本体１０は、第１実施形態の画像表示装置１における本体１０と同一である。
２つの表示装置２０のうち、左目の目の前に位置する表示装置２０は、第１実施形態の画像表示装置１におけるものと同一である。他方、右目の目の前に位置する表示装置２０は、左目の目の前に位置する表示装置２０と左右対称に構成されている。右目の目の前に位置する表示装置２０に接続されるケーブルＣは、左目の前に位置する表示装置２０と同様の方法で、右側のつる１１に固定されている。
第３実施形態における表示装置２０はともに、左右方向の位置と、上下方向の角度を調整できるようになっている。
第３実施形態における画像表示装置３の使用方法を説明する。
第３実施形態における画像表示装置３の使用方法は、基本的に第１実施形態の画像表示装置１の使用方法と同様である。
異なるのは、第１実施形態における画像表示装置１の使用の準備では、１つの表示装置２０の調整と、遮蔽板３０の位置調整と、拡大レンズ２８の調整とを行うが、第３実施形態における画像表示装置３の使用の準備では、これに代えて、２つの表示装置２０の調整と、拡大レンズ２８の調整とを行う。２つの表示装置２０の調整は、本体１０に表示装置２０が取付けられていない場合には本体１０へ２つの表示装置２０を取付けた上で、２つの表示装置２０の左右方向の位置と、上下方向の角度を調整することで行う。
以上の準備が終わったら、画像表示装置３を、使用者の顔に装着し、固定する。かかる固定は、画像表示装置３のつる１１を両耳に係止することで行う。
この状態でケーブルＣに接続された物（例えば、ＤＶＤプレイヤなど）の電源を入れ、必要な操作を行うと、画像信号がケーブルＣを介して送られてくる。これは、変換基板２５を介して液晶ディスプレイ２７に送られる。液晶ディスプレイ２７は、この画像信号に基づいて画像の表示を行う。バックライトユニット２６に含まれるバックライトからの光である、この画像についての像光は、拡大レンズ２８を介して使用者の右目又は左目に送られ、使用者の右目又は左目に結像する。
このとき、左目には、画像ＧＬが、図６（Ｌ）に示したように見える。右目にも同様のものが見える。
このとき、左目で見た画像ＧＬと、右目で見たこれと同様の画像は、脳の中で合成されて、図６（Ｌ）に示すように、見えることになる。
このようにして使用者は、画像を見ることができる。また、使用者は、表示範囲を見ている状態で、視線を動かすことなく、外界の景色も認識でき、視線を動かせば、外界の景色をより多く見ることができる。
≪第４実施形態≫
第４実施形態における画像表示装置４の概観を図１０に示す。
この実施形態における画像表示装置４は、基本的に第１実施形態における画像表示装置１と同様である。
異なるのは、本体１０の構成であり、その他の点には大きな変更はない。
この実施形態における本体１０は、第１実施形態の場合と同様に、つる１１と、フレーム枠１２とを備えて構成されるが、第４実施形態における画像表示装置４のつる１１の構成は、第１実施形態の画像表示装置１のつる１１と異なる構成になっている。
第４実施形態における画像表示装置４のつる１１はともに、その基端部分（フレーム枠１２側の部分）とその先端部分（フレーム枠１２側から遠い部分）とのなす角度が可変となるようにできている。つる１１の基端部分と先端部分のなす角度を変化させることにより、第４実施形態における画像表示装置４は、上下方向での角度調整が可能になっている。
第４実施形態におけるつる１１の構成について図１１を用いて詳述する。なお、２つのつる１１の構成は左右対称であり他に異なるところはないので、図１１を用いて右側のつる１１の構成のみを説明することとする。
図１１は、右目用フレーム枠１２Ｒに接続されたつる１１の構成を示す図である。
つる１１は、２つに分割されている。つる１１は、右目用フレーム枠１２Ｒに接続される基端側部材１１１と、それに接続される先端側部材１１２とを備えて構成されている。
基端側部材１１１は、右目用フレーム枠１２Ｒに設けられた孔Ｐが開けられた板部材１２１Ｒを上下から挟み込む、それぞれに孔Ｑが開けられた２つの挟持部材１１１Ａと、そこから略９０度曲折して設けられている、孔Ｒが開けられた基端側接続部材１１１Ｂとを備えて構成されている。
先端側部材１１２は、基端側接続部材１１１Ｂと接続されるものであり、孔Ｓが開けられた先端側接続部材１１２Ａと、先端側部材本体１１２Ｂとを備えて構成される。先端側部材本体１１２Ｂは、使用者の耳に係止される部分である。
板部材１２１Ｒと挟持部材１１１Ａは、図１１中に破線で示したようにして、孔Ｐ、Ｑにボルト１１３を貫通させることで接続される。他方、基端側接続部材１１１Ｂと先端側接続部材１１２Ａは、図１１中の破線で示したように、孔Ｒ、Ｓにボルト１１４を貫通させることで接続される。
これにより、つる１１は、ボルト１１３を軸として水平面内で回動できるようになり、フレーム枠１２に対して閉じられるようになる。また、つる１１は、ボルト１１４を軸として垂直平面内で曲折できるようになる。これにより、つる１１は、その基端部分（フレーム枠１２側の部分）とその先端部分（フレーム枠１２側から遠い部分）とのなす角度が可変となる。
この実施形態における画像表示装置４の本体１０には、図１０に示したように、表示装置２０と、遮蔽板３０とが設けられている。そして、表示装置２０の鏡筒２２の先端は、図１２Ａ、図１２Ｂに示したように、使用時における画像表示装置４を側面方向から見た場合に、ボルト１１４を結ぶ直線上に位置するようになっている。
したがって、つる１１の基端側部材１１１と、先端側部材１１２の角度を変えた場合であっても、図１２Ａ、図１２Ｂに示したように、鏡筒２２の先端位置は変わらない。
なお、かかる第４実施形態における画像表示装置４の使用方法は、基本的に第１実施形態の画像表示装置１の使用方法と同様である。
異なるのは、表示装置２０の角度調整の仕方のみである。使用者は、画像表示装置４の使用に先立って、或いは使用の最中に、指で摘んでフレーム枠１２を上下方向に移動させるなどして、表示装置２０の角度を調整する。
なお、第４実施形態における本体１０に、遮蔽板３０の代わりに表示装置２０を取付けることで、本体１０に２つの表示装置２０が取付けられるようにすることもできる。この場合、２つの表示装置２０の鏡筒２２の先端はいずれも、使用時における画像表示装置４を側面方向から見た場合に、ボルト１１４を結ぶ直線上に位置するようにする。
≪第５実施形態≫
第５実施形態における画像表示装置５の使用状態を図１３、図１４に示す。
この実施形態における画像表示装置５は、基本的に第１実施形態における画像表示装置１と同様である。
第５実施形態における画像表示装置５は、第１実施形態における画像表示装置１と、本体１０の構成の点で異なっている。
図１３、図１４に示したように、この実施形態における本体１０は、ヘッドフォンの如き形状をしている。より詳細には、この本体１０は、バックアームスタイルのヘッドフォンの如き形状をしている。
本体１０は、湾曲させられたアーム１３と、アーム１３の両端に設けられたイヤーカップ１４を備えている。両イヤーカップ１４は、その縁部分に図示せぬイヤーパットを備えており、その内部に図示せぬスピーカを備えている。本体１０は、このような構成によりヘッドフォンとして機能するようになっている。
なお、本体１０は、後述の表示装置２０に画像信号を送る装置などから音声信号を受取り、それに基づく音をスピーカで再生して、使用者の耳へ送るようになっている。
両イヤーカップ１４からは、補助アーム１５が延びている。この補助アーム１５は、その先端が、この画像表示装置５を使用中の使用者の目の前辺りに位置するようにされている。補助アーム１５は、その先端に表示装置２０を取付けるためのものである。
なお、第５実施形態の画像表示装置５における表示装置２０は、第１実施形態における表示装置２０と、ケース２１の形状は異なるものの、その他の点では同様に構成されている。
この画像表示装置５における表示装置２０はともに、第１実施形態の画像表示装置１における表示装置２０と同様に、左右方向の位置と、上下方向の角度とを調整可能になっている。
その機構は以下のようなものである。
補助アーム１５の先端には、図１５に示したようにネジ切りがしてある。
また、表示装置２０の外側部分には、図１５に示したように孔２０Ａが設けられており、且つその孔２０Ａの内周面にはネジ切りがしてある。つまり、雄ネジとしての補助アーム１５の先端を、雌ネジとしての孔２０Ａに挿入して螺合させることで、補助アーム１５の先端に表示装置２０を固定できるようになっているのである。
このとき、表示装置２０を補助アーム１５に対してどれだけ回転させるかによって、表示装置２０の、左右方向の位置と、上下方向の角度とを調整可能である。なお、かかる回転を行わせると、表示装置２０に接続されているケーブルＣが捻れて断線することも考えられる。そのようなことがないように、表示装置２０をこのように構成する場合には、表示装置２０とケーブルＣを着脱自在にして、上述の回転を行う場合にはケーブルＣを表示装置２０から切り離すようにするのが好ましい。或いは、ケーブルＣをなくして、表示装置２０が無線で画像信号を受取るようにすることもできる。なお、ケーブルをなくし、表示装置２０が無線で画像信号を受取るようにできるのは、第１〜第４実施形態及び後述する第６実施形態の場合も同様である。
≪第６実施形態≫
この実施形態における画像表示装置は、基本的に第１実施形態における画像表示装置１と同様である。
本体へ表示装置２０を固定するための構成以外に大きな変更点はない。ただし、この実施形態では、右目の前に表示装置２０が、左目の前に遮蔽板が来るようになっている。
第６実施形態における画像表示装置における表示装置２０の本体への取付けの仕方を図１６Ａ、図１６Ｂ、及び図１７を参照して説明する。図１６Ａは、第６実施形態の画像表示装置の固定用板５０の構成を示す正面図、図１６Ｂは、同固定用板５０の構成を示す側断面図であり、図１７は、第６実施形態の画像表示装置の表示装置２０を背面方向から見た斜視図である。
この実施形態における表示装置２０は、右目用フレーム枠１２Ｒの内側部分取付けられる。なお、この実施形態における右目用フレーム枠１２Ｒを含めた本体の構成は、第１実施形態の本体の構成と同一である。
本体の右目用フレーム枠１２Ｒには、遮蔽板と同様に上下に溝５１を備えた固定用板５０を備えている。この固定用板５０の正面には、凸曲面５２が設けられている。この凸曲面５２は使用中の画像表示装置の正面方向に凸設している。凸曲面５２は所定の球面の一部をなすようになっている。
他方、図１７に示したように、表示装置２０の背面側の面には、凹曲面２９が設けられている。この凹曲面２９は、上述の凸曲面５２に対応する形状とされている。
凸曲面５２と凹曲面２９とは、磁力により互いに吸着し合うようになっている。例えば、凸曲面５２と凹曲面２９が設けられている部材をともに磁石により形成する、或いは、一方の部材を磁石とし他方の部材を磁石に吸着する金属により形成するなどすることで、凸曲面５２と凹曲面２９とが磁力により互いに吸着し合うようになる。
ここで、凸曲面５２に凹曲面２９を吸着させると、表示装置２０が本体へ取付けられる。この状態で、凸曲面５２に対して凹曲面２９を摺動させることで、表示装置２０の固定用板５０に対する角度を変化させられる。例えば、表示装置２０は、本体に対して上下方向で揺動可能である。
また、表示装置２０が取付けられた固定用板５０を左右方向へ移動させることで、表示装置２０の左右方向の位置を調整できる。
このように、この画像表示装置も、表示装置２０の左右方向の位置と、上下方向の角度を調整できるものとなる。
なお、上述の場合とは逆に、表示装置２０に凸曲面５２を、固定用板５０に凹曲面２９を設けることも可能である。このようにしても、表示装置２０の左右方向の位置と、上下方向の角度を調整できる。この場合の固定用板５０の正面図を図１８Ａ、側断面図を図１８Ｂに、表示装置２０の背面図を図１９に示す。
【図１】
0004601609.tif 000002
【図２】
0004601609.tif 000003
【図３Ａ】
0004601609.tif 000004
【図３Ｂ】
0004601609.tif 000005
【図３Ｃ】
0004601609.tif 000006
【図４】
0004601609.tif 000007
【図５】
0004601609.tif 000008
【図６】
0004601609.tif 000009
【図７】
0004601609.tif 000010
【図８】
0004601609.tif 000011
【図９】
0004601609.tif 000012
【図１０】
0004601609.tif 000013
【図１１】
0004601609.tif 000014
【図１２Ａ】
0004601609.tif 000015
【図１２Ｂ】
0004601609.tif 000016
【図１３】
0004601609.tif 000017
【図１４】
0004601609.tif 000018
【図１５】
0004601609.tif 000019
【図１６Ａ】
0004601609.tif 000020
【図１６Ｂ】
0004601609.tif 000021
【図１７】
0004601609.tif 000022
【図１８Ａ】
0004601609.tif 000023
【図１８Ｂ】
0004601609.tif 000024
【図１９】
0004601609.tif 000025